(57)【特許請求の範囲】
【請求項１】
一つの操作部（１２）によって、動力源である内燃機関（Ｅ）の停止、始動およびチョーク操作の切替を行う作業機（２）であって、
前記操作部（１２）は、順に、前記内燃機関（Ｅ）を停止させる第一回転位置（Ｐ１）と、始動可能にさせる第二回転位置（Ｐ２）と、チョーク開閉機構（１８）を作動させる第三回転位置（Ｐ３）と、に回転運動により切替え可能な回転体（１４）で構成されており、前記チョーク開閉機構（１８）は、チョークバルブ（１６）と、該チョークバルブ（１６）を回転させるチョーク回転軸（３０）と、該チョーク回転軸（３０）に設けられたアーム部（３２）と、を有し、
更に、長手方向（Ｘ）に移動することによって前記回転体（１４）の運動を前記アーム部（３２）に伝達して前記チョークバルブ（１６）を閉じるチョーク作動用伝動部材（３６）を有し、該チョーク作動用伝動部材（３６）は、前記アーム部（３２）に連結された先端部（３６ａ）と前記回転体（１４）に連結された基端部（３６ｂ）との間に延びる一本の棒状部材であり、前記回転体（１４）には、前記基端部（３６ｂ）を受け入れる逃げ孔（３８）が形成されており、前記回転体（１４）が前記第一回転位置（Ｐ１）から前記第二回転位置（Ｐ２）まで回転する間は、前記基端部（３６ｂ）は前記逃げ孔（３８）の中で相対移動するだけで前記チョーク作動用伝動部材（３６）は前記長手方向（Ｘ）には移動せず、また、前記回転体（１４）が前記第二回転位置（Ｐ２）から前記第三回転位置（Ｐ３）まで回転する間は、前記基端部（３６ｂ）は前記逃げ孔（３８）の中での移動が規制され、前記回転体（１４）の回転運動によって前記チョーク作動用伝動部材（３６）が前記長手方向（Ｘ）に移動され、前記アーム部（３２）に前記回転体（１４）の運動が伝達されることを特徴とする作業機。
【請求項２】
一つの操作部（１２）によって、動力源である内燃機関（Ｅ）の停止、始動およびチョーク操作の切替を行う作業機（２）であって、
前記操作部（１２）は、順に、前記内燃機関（Ｅ）を停止させる第一回転位置（Ｐ１）と、始動可能にさせる第二回転位置（Ｐ２）と、チョーク開閉機構（１８）を作動させる第三回転位置（Ｐ３）と、に回転運動により切替え可能な回転体（１４）で構成されており、前記チョーク開閉機構（１８）は、チョークバルブ（１６）と、該チョークバルブ（１６）を回転させるチョーク回転軸（３０）と、該チョーク回転軸（３０）に固着されたアーム部（３２）と、を有し、
更に、長手方向（Ｘ）に移動することによって前記回転体（１４）の運動を前記アーム部（３２）に伝達して前記チョークバルブ（１６）を閉じるチョーク作動用伝動部材（３６）を有し、該チョーク作動用伝動部材（３６）は、前記アーム部（３２）に連結された先端部（３６ａ）と前記回転体（１４）に連結された基端部（３６ｂ）との間に延びる一本の棒状部材であり、前記回転体（１４）には、前記基端部（３６ｂ）を受け入れる逃げ孔（３８）が形成されており、前記回転体（１４）が前記第一回転位置（Ｐ１）から前記第二回転位置（Ｐ２）まで回転する間は、前記基端部（３６ｂ）は前記逃げ孔（３８）の中で相対移動して前記回転体（１４）に対して半径方向に移動し、前記チョーク作動用伝動部材（３６）が前記先端部（３６ａ）を中心として揺動運動を行い、また、前記回転体（１４）が前記第二回転位置（Ｐ２）から前記第三回転位置（Ｐ３）まで回転する間は、前記基端部（３６ｂ）の前記逃げ孔（３８）の中での移動が規制され、前記回転体（１４）の運動によって前記チョーク作動用伝動部材（３６）が前記長手方向（Ｘ）に移動されて、前記アーム部（３２）に前記回転体（１４）の運動が伝達されることを特徴とする作業機。
【請求項３】
一つの操作部（１２）によって、動力源である内燃機関（Ｅ）の停止、始動およびチョーク操作の切替を行う作業機であって、
前記操作部（１２）は、順に、前記内燃機関（Ｅ）を停止させる第一回転位置Ｐ１と、始動可能にさせる第二回転位置（Ｐ２）と、チョーク開閉機構（１８）を作動させる第三回転位置（Ｐ３）と、に回転運動により切替え可能な回転体（１４）で構成されており、前記チョーク開閉機構（１８）は、チョークバルブ（１６）と、該チョークバルブ（１６）を回転させるチョーク回転軸（３０）と、該チョーク回転軸（３０）に設けられたアーム部（３２）と、を有し、
更に、長手方向（Ｘ）に移動することによって前記回転体（１４）の運動を前記アーム部（３２）に伝達して前記チョークバルブ（１６）を閉じるチョーク作動用伝動部材（３６）を有し、該チョーク作動用伝動部材（３６）は、前記アーム部（３２）に連結された先端部（３６ａ）と前記回転体（１４）に連結された基端部（３６ｂ）との間において横方向に延びる一本の棒状部材であり、前記回転体（１４）には、前記基端部（３６ｂ）を受け入れる逃げ孔（３８）が形成されており、該逃げ孔は前記横方向（Ｘ）に延びる長孔（３８）であり、該長孔（３８）は、前記回転体（１４）の回転方向に対して進み側に位置する進み側端部（３８ａ）と、遅れ側に位置する遅れ側端部（３８ｂ）と、を有し、前記回転体（１４）が、前記第一回転位置（Ｐ１）にあるとき、前記基端部（３６ｂ）は前記進み側端部（３８ａ）に位置しており、また、前記回転体（１４）が前記第一回転位置（Ｐ１）から前記第二回転位置（Ｐ２）まで回転することによって、前記基端部（３６ｂ）は、前記進み側端部（３８ａ）から前記遅れ側端部（３８ｂ）まで移動し、その間、前記基端部（３６ｂ）が前記逃げ孔（３８）の中で前記回転体（１４）の半径方向に移動して、前記チョーク作動用伝動部材（３６）が前記先端部（３６ａ）を中心として揺動運動を行い、また、前記回転体（１４）が前記第二回転位置（Ｐ２）から前記第三回転位置（Ｐ３）まで回転する間は、前記基端部（３６ｂ）は前記遅れ側端部（３８ｂ）に保持され、前記回転体（１４）の運動によって前記チョーク作動用伝動部材（３６）が前記長手方向（Ｘ）に押されて、前記アーム部（３２）に前記回転体（１４）の運動が伝達されることを特徴とする作業機。
【請求項４】
スロットルバルブ（２０）を開閉するスロットル開閉機構（２２）と、該スロットル開閉機構（２２）と前記チョーク開閉機構（１８）とを連動させるための連動機構（２４）と、該連動機構（２４）を解除するための解除レバー（４６）を有する解除機構（２８）と、を有し、前記操作部（１２）および前記解除レバー（４６）は、前後方向に延びるハンドル（１０）の前端部（１０ｂ）に設けられ、前記チョーク開閉機構（１８）、前記スロットル開閉機構（２２）および前記連動機構（２４）は、前記ハンドル（１０）の後端部（１０ｃ）の内部に収容されており、前記チョーク作動用伝動部材（３６）は、前記回転体（１４）から前記チョーク回転軸（３０）に設けられた前記アーム部（３２）まで、前記ハンドル（１０）の内部において前後方向に延びる一本の棒状部材であり、前記解除機構（２８）は、基端部（４８ｂ）が前記解除レバー（４６）に、また、先端部（４８ａ）が前記連動機構（２４）に連結され、前記ハンドル（１０）の内部において前記チョーク作動用伝動部材（３６）に沿って前記長手方向（Ｘ）に延びる一本の棒状のスロットル解除用伝動部材（４８）を有していることを特徴とする請求項１乃至３のいずれか一項に記載の作業機。
【請求項５】
前記操作部（１２）は、更に、前記回転体（１４）が前記第一回転位置（Ｐ１）から前記第二回転位置（Ｐ２）まで移動する間、前記チョーク作動用伝動部材（３６）の前記基端部（３６ｂ）を、前記長孔（３８）の中で前記進み側端部（３８ａ）から前記遅れ側端部（３８ｂ）まで案内し、かつ、前記回転体（１４）が前記第二回転位置（Ｐ２）から前記第三回転位置（Ｐ３）まで移動する間、前記チョーク作動用伝動部材（３６）の前記基端部（３６ｂ）を前記長孔（３８）の前記遅れ側端部（３８ｂ）に保持するための案内部（４０）を有し、
前記回転体（１４）は実質的に円形であり、前記長孔（３８）は、前記回転体（１４）の半径方向内方かつ進み側に位置する前記進み側端部（３８ａ）から、半径方向外方かつ遅れ側に位置する前記遅れ側端部（３８ｂ）まで、前記半径方向に対して斜めに延びており、前記遅れ側端部（３８ｂ）は、前記回転体（１４）の回転中心（Ｏ）から第一半径寸法（ｒ１）だけ離間して位置しており、前記案内部（４０）は、前記回転体（１４）の半径方向に前記第一半径寸法（ｒ１）から前記チョーク作動用伝動部材（３６）の前記基端部（３６ｂ）の外形寸法を差し引いた第二半径寸法（ｒ２）の位置まで真っ直ぐに延びる平面部分（４０ａ）と、該平面部分（４０ａ）の半径方向外端から前記回転中心（Ｏ）を中心として前記第二半径寸法（ｒ２）の円弧を描いて前記回転体（１４）の進み側に延びる円弧面部分（４０ｂ）と、を有し、前記チョーク作動用伝動部材（３６）の前記基端部（３６ｂ）は、前記長孔（３８）の中において、前記平面部分（４０ａ）に対して前記第二回転位置（Ｐ２）では前記遅れ側に位置しており、前記第二回転位置（Ｐ２）から前記第三回転位置（Ｐ３）まで移動する間、前記基端部（３６ｂ）は前記平面部分（４０ａ）および前記湾曲面部分（４０ｂ）に沿って移動することを特徴とする請求項３または４に記載の作業機。
【発明の詳細な説明】
【０００１】
【産業上の利用分野】
本発明は、内燃機関によって駆動される作業機に関し、より詳細には、一つの操作部によって、前記内燃機関の停止、始動およびチョーク操作の切替を行う作業機に関する。
【従来技術】
動力源である内燃機関によって駆動される作業機には、一般的に、チョークバルブを開閉するためのチョークバルブ開閉機構と、スロットルバルブを開閉するためのスロットルバルブ開閉機構と、該スロットルバルブ開閉機構と前記チョークバルブ開閉機構とを連動させるための連動機構と、該連動機構を解除するための解除機構と、を有する。前記内燃機関を始動させるには、電気スイッチを停止位置から始動位置まで移動させて、点火部を電気的にＯＮ状態とし、また、前記内燃機関が冷えている場合には、前記チョークバルブ開閉機構を作動させて前記チョークバルブを閉じてから、前記内燃機関を始動させる。この際、前記チョークバルブ開閉機構は前記スロットルバルブ開閉機構とは、前記連動機構によって互いに連動されており、前記チョークバルブ開閉機構が作動している間は、スロットルバルブが半開されるようになっている。
【０００２】
例えば、特開平５−２１４９７２号公報には、前記作業機の一つであるチェーンソーに関し、一つの操作部によって、内燃機関の停止、始動およびチョーク操作の切替を行えるようにせしめたものが開示されている。この作業機においては、作業者が握る、機体の前後方向に延びるハンドルの前端部に前記操作部が設けられている。また、前記ハンドルの後端部の内部には、チョークバルブ開閉機構と、スロットルバルブ開閉機構と、これらの連動機構とが設けられている。これらと前記操作部とがリンク機構によって作動上連結されており、前記操作部の動作が後方に設けられた前記各機構に伝達されるようになっている。
【０００３】
【発明が解決しようとする課題】
前記作業機においては、一つの前記操作部によって、前記内燃機関の停止、始動およびチョーク操作の切替を行うことができる点で利便性は高いが、内部の前記リンク構造が複雑で、部品点数が多く、組立て工程に手間がかかり、コスト高の要因となる。
そこで、本発明は、一つの操作部によって、内燃機関の停止、始動およびチョーク操作の切替を行うことができる作業機であって、操作の動作を伝達する機構が簡略な作業機を提供することを目的とする。
【０００４】
【課題を解決するための手段】
本発明の上記目的は、一つの操作部によって、動力源である内燃機関の停止、始動およびチョーク操作の切替を行う作業機であって、前記操作部は、順に、前記内燃機関を停止させる第一回転位置と、始動させる第二回転位置と、チョーク開閉機構を作動させる第三回転位置と、に回転運動により切替え可能な回転体で構成されており、前記チョーク開閉機構は、チョークバルブと、該チョークバルブを回転させるチョーク回転軸と、該チョーク回転軸に設けられたアーム部と、を有し、更に、長手方向に移動することによって前記回転体の運動を前記アーム部に伝達して前記チョークバルブを閉じるチョーク作動用伝動部材を有し、該チョーク作動用伝動部材は、前記アーム部に連結された先端部と前記回転体に連結された基端部との間に延びており、前記回転体には、前記基端部を受け入れる逃げ孔が形成されており、前記回転体が前記第一回転位置から前記第二回転位置まで回転する間は、前記基端部は前記逃げ孔の中で相対移動するだけで、前記チョーク作動用伝動部材は前記長手方向には移動せず、また、前記回転体が前記第二回転位置から前記第三回転位置まで回転する間は、前記基端部は前記逃げ孔の中での移動が規制され、前記回転体の回転運動によって前記チョーク作動用伝動部材が前記長手方向に移動され、前記アーム部に前記回転体の運動が伝達されることを特徴とする作業機によって達成することができる。
【０００５】
本発明に係る作業機は以下の通り作動する。まず、前記操作部を、前記内燃機関の停止位置である前記第一回転位置から、始動位置である前記第二回転位置まで移動させる。これによって、点火部がＯＮとなり始動可能な状態となる。前記回転体が前記第一回転位置から前記第二回転位置まで回転する間は、前記チョーク作動用伝動部材の前記基端部が、前記回転体の前記逃げ孔の中で相対移動することによって、前記作業機の本体部分に対しては移動せず、前記チョーク作動用伝動部材は前記長手方向に移動しない。また、例えば、前記内燃機関が冷えた状態である場合においては、前記操作部を、前記チョーク開閉機構を作動させる前記第三回転位置まで更に移動させる。前記回転体が前記第二回転位置から前記第三回転位置まで回転する間は、前記基端部は前記逃げ孔の中での移動が規制され、前記回転体の運動によって前記チョーク作動用伝動部材が前記長手方向に移動される。これによって、前記チョーク作動用伝動部材の前記先端部が連結されている前記アーム部が揺動され、前記チョーク回転軸が回転されて、前記チョークバルブが閉じられる。これによって、前記内燃機関の冷態時始動が容易になる。
【０００６】
本発明によれば、前記操作部の動作を前記チョーク開閉機構へ確実に伝達する簡略な構造を有するので、組立てが容易であり、安価な作業機を提供することができる。
【０００７】
また、本発明の別の観点によれば、上記目的は、一つの操作部によって、動力源である内燃機関の停止、始動およびチョーク操作の切替を行う作業機であって、前記操作部は、順に、前記内燃機関を停止させる第一回転位置Ｐ１と、始動可能にさせる第二回転位置と、チョーク開閉機構を作動させる第三回転位置と、に回転運動により切替え可能な回転体で構成されており、前記チョーク開閉機構は、チョークバルブと、該チョークバルブを回転させるチョーク回転軸と、該チョーク回転軸に設けられたアーム部と、を有し、更に、長手方向に移動することによって前記回転体の運動を前記アーム部に伝達して前記チョークバルブを閉じるチョーク作動用伝動部材を有し、該チョーク作動用伝動部材は、前記アーム部に連結された先端部と前記回転体に連結された基端部との間に延びており、前記回転体には、前記基端部を受け入れる逃げ孔が形成されており、前記回転体が前記第一回転位置から前記第二回転位置まで回転する間は、前記基端部は前記逃げ孔の中で相対移動して前記回転に対して半径方向に移動し、前記チョーク作動用伝動部材が前記先端部を中心として揺動運動を行い、また、前記回転体が前記第二回転位置から前記第三回転位置まで回転する間は、前記基端部の前記逃げ孔の中での移動が規制され、前記回転体の運動によって前記チョーク作動用伝動部材が前記長手方向に押されて、前記アーム部に前記回転体の運動が伝達されることを特徴とする作業機によって達成することができる。
【０００８】
本発明においては、前記回転体が前記第一回転位置から前記第二回転位置まで回転する間は、前記基端部が前記逃げ孔の中で相対移動して、前記チョーク作動用伝動部材が前記先端部を中心として揺動運動のみ行う。すなわち、前記チョーク作動用伝動部材の前記先端部は実質的に移動しないから、前記バルブ回転軸に設けられた前記アーム部は揺動されず、前記チョークバルブは閉じられない。また、前記回転体が前記第二回転位置から前記第三回転位置まで回転する間は、前記基端部の前記逃げ孔の中での移動が規制されるので、前記回転体の運動が前記チョーク作動用伝動部材に伝達され、前記チョーク作動用伝動部材が前記長手方向に移動されて、前記アーム部に前記回転体の運動が伝達される。
【０００９】
更に、本発明の別の観点においては、上記目的は、一つの操作部によって、動力源である内燃機関の停止、始動およびチョーク操作の切替を行う作業機であって、前記操作部は、順に、前記内燃機関を停止させる第一回転位置Ｐ１と、始動可能にさせる第二回転位置と、チョーク開閉機構を作動させる第三回転位置と、に回転運動により切替え可能な回転体で構成されており、前記チョーク開閉機構は、チョークバルブと、該チョークバルブを回転させるチョーク回転軸と、該チョーク回転軸に設けられたアーム部と、を有し、更に、長手方向に移動することによって前記回転体の運動を前記アーム部に伝達して前記チョークバルブを閉じるチョーク作動用伝動部材を有し、該チョーク作動用伝動部材は、前記チョーク作動用アーム部に連結された先端部と前記回転体に連結された基端部との間において横方向に延びており、前記回転体には、前記基端部を受け入れる逃げ孔が形成されており、該逃げ孔は前記横方向に延びる長孔であり、該長孔は、前記回転体の回転方向に対して進み側に位置する進み側端部と、遅れ側に位置する遅れ側端部と、を有し、前記回転体が、前記第一回転位置にあるとき、前記基端部は前記進み側端部に位置しており、また、前記回転体が前記第一回転位置から前記第二回転位置まで回転することによって、前記基端部は、前記進み側端部から前記遅れ側端部まで移動し、その間、前記基端部が前記逃げ孔の中で前記回転体の半径方向に移動して、前記回転体に対して半径方向に移動し、前記チョーク作動用伝動部材が前記先端部を中心として揺動運動を行い、また、前記回転体が前記第二回転位置から前記第三回転位置まで回転する間は、前記基端部は前記遅れ側端部に保持され、前記回転体の運動によって前記チョーク作動用伝動部材が前記長手方向に移動されて、前記チョーク作動用アーム部に前記回転体の運動が伝達されることを特徴とする作業機によって達成することができる。
【００１０】
本発明の実施の形態においては、スロットルを開閉するスロットル開閉機構と、該スロットル開閉機構と前記チョーク開閉機構とを連動させるための連動機構と、該連動機構を解除するための解除レバーを有する解除機構と、を有し、前記操作部および前記解除レバーは、前後方向に延びるハンドルの前端部に設けられ、前記チョーク開閉機構、前記スロットル開閉機構および前記連動機構は、前記ハンドルの後端部の内部に収容されており、前記チョーク作動用伝動部材は、前記回転体から前記チョーク回転軸に設けられた前記アーム部まで、前記ハンドルの内部において前後方向に延びる棒状部材であり、前記解除機構は、基端部が前記解除レバーに、また、先端部が前記連動機構に連結され、前記ハンドルの内部において前記チョーク作動用伝動部材に沿って前記長手方向に延びる棒状のスロットル解除用伝動部材を有している。
【００１１】
また、本発明の別の実施の形態においては、前記操作部（１２）は、更に、前記回転体が前記第一回転位置から前記第二回転位置まで移動する間、前記チョーク作動用伝動部材の前記基端部を、前記長孔の中で前記進み側端部から前記遅れ側端部まで案内し、かつ、前記回転体が前記第二回転位置から前記第三回転位置まで移動する間、前記チョーク作動用伝動部材前記基端部を前記長孔の前記遅れ側端部に保持するための案内部を有し、
前記回転体は実質的に円形であり、前記長孔は、前記回転体の半径方向内方かつ進み側に位置する前記進み側端部から、半径方向外方かつ遅れ側に位置する前記遅れ側端部まで、前記半径方向に対して斜めに延びており、前記遅れ側端部は、前記回転体の回転中心から第一半径寸法だけ離間して位置しており、前記案内部は、前記回転体の半径方向に前記第一半径寸法から前記チョーク作動用伝動部材の前記基端部の外形寸法を差し引いた第二半径寸法の位置まで真っ直ぐに延びる平面部分と、該平面部分の半径方向外端から前記回転中心を中心として前記第二半径寸法の円弧を描いて前記回転体の進み側に延びる円弧面部分と、を有し、前記チョーク作動用伝動部材の前記基端部は、前記長孔の中において、前記平面部分に対して前記第二回転位置では前記遅れ側に位置しており、前記第二回転位置から前記第三回転位置まで移動する間、前記基端部は前記平面部分および前記湾曲面部分に沿って移動する。
【００１２】
【発明の実施の形態】
以下、添付の図面を参照しつつ、本発明にかかる作業機の実施の形態について説明する。本実施形態においては、作業機の一例としてチェーンソーについて説明する。
図１は、本実施形態に係るトップハンドルソーと称されるチェーンソーの外観右側面図である。なお、作業部材であるソーチェーンバー部分は、二点鎖線で示している。
【００１３】
図１に示すように、作業機としてのチェーンソー２は、ハウジング４の内部に空冷式２サイクルガソリンエンジン等の内燃機関Ｅを収容した本体部分６と、該本体部分６から前方に延びる前記ソーチェーンバー部分８と、を有する。前記本体部分６の前記ハウジング４の上面には、作業者が右手で握るハンドル１０が機体前後方向に延びて設けられている。前記ハンドル１０の前端部１０ｂの上面には、前記内燃機関Ｅの停止、始動およびチョーク操作の切替を行うための、一つの操作部１２が設けられている。前記ハンドル１０は、前記本体部分６の前記ハウジング４の前記上面に対して下向きＵ字形をなして設けられており、前後に真っ直ぐに延びる、作業者が握るためのグリップ部１０ａと、その前端に上下方向に延びる前記前端部１０ｂと、後端に上下方向に延びる後端部１０ｃと、を有する。
【００１４】
図２乃至図４は、前記チェーンソーのハンドルの内部機構の拡大左側面図であり、そのうち、図２は、操作部が停止位置にある状態を、また、図３は、始動可能位置にある状態を、更に、図４はチョーク作動位置にある状態を示す。なお、図２乃至図４は、図１に対して、前後が逆に示されており、これらの図において左側および右側がそれぞれ、前記チェーンソーの前側および後側である。更に、図５は、チョーク開閉機構、スロットル開閉機構およびこれらの連動機構の構造および動作を示す。
【００１５】
図２に示すように、前記ハンドル１０の前記前端部１０ｂの内部には、操作部１２が配設されている。該操作部１２は、前記グリップ部１０ａに対して手前側から遠い側に、すなわち、前記グリップ部１０ａの長手方向Ｘに対して機体後方から前方に向かって、順に、図２に示す、前記内燃機関Ｅを停止させる第一回転位置Ｐ１（停止位置）Ｐ１と、図３に示す、始動可能にさせる第二回転位置Ｐ２（始動位置）Ｐ２と、図４に示す、チョーク開閉機構１８を作動させる第三回転位置Ｐ３（チョーク作動位置）Ｐ３とに、回転運動により切替え可能な回転体１４で構成されている。その結果、前記回転体１４は、前記グリップ部１０ａを握っている右手の親指でそのつまみ部１４ａを前方へ押すことにより、上半部においては前記グリップ部１０ａから遠ざかる方向に、また、下半部においては近づく方向に回転し、図２においては、反時計方向へ回転する。
【００１６】
前記ハンドル１０の前記後端部１０ｃの内部には、後に、図５を参照しつつ詳述するが、ダイヤフラム式気化器６０のチョークバルブ１６を開閉するための前記チョーク開閉機構１８と、スロットルバルブ２０を開閉するための前記スロットル開閉機構２２と、これらを連動させる前記連動機構２４と、が収容されている。前記内燃機関Ｅが冷えている状態にあるとき（冷態時）に始動を容易にするため、前記チョーク開閉機構１８を作動させて前記チョークバルブ１６を閉じるが、その際、前記連動機構２４は、前記チョーク開閉機構１８と前記スロットル開閉機構２２とを連動させて、前記スロットルバルブ２０を半開させ、前記内燃機関Ｅの回転数をアイドリング時より若干高めるようになっている。
【００１７】
前記グリップ部１０ａの内部には、前記チョーク開閉機構１８を作動させるためのチョーク作動機構２６と、前記連動機構２４を解除するための解除機構２８と、が設けられている。
まず、図５を参照しつつ、前記チョーク開閉機構１８について説明する。該チョーク開閉機構１８は、前記チョークバルブ１６と、該チョークバルブ１６を回転させるためのチョーク回転軸３０と、該チョーク回転軸３０の外端に、固着され横（半径）方向に延びて設けられたチョーク作動用アーム部材３２と、を有する。また、前記スロットル開閉機構２２は、前記スロットルバルブ２０と、該スロットルバルブ２０を回転させるためのスロットル回転軸３４と、を有する。
【００１８】
次に、図２を参照しつつ、前記チョーク作動機構２６について説明する。該チョーク作動機構２６は、前記ハンドル１０の内部に、前記長手方向Ｘに移動することによって、前記回転体１４の運動を前記チョーク作動用アーム部材３２に伝達し、前記チョークバルブ１６を閉じるチョーク作動用伝動部材３６を有する。該チョーク作動用伝動部材３６は、前記チョーク作動用アーム部材３２に連結された先端部３６ａと、前記回転体１４に連結された基端部３６ｂとの間に延びている。より詳細には、前記チョーク作動用伝動部材３６は、前記回転体１４から前記チョーク作動用アーム部材３２まで延びる一本の細い棒状部材（剛性の丸線材）であり、下向きＵ字形の前記ハンドル１０の内部空間の形状に沿う形状をなしており、前記ハンドル１０の前記グリップ部１０ａに沿って真っ直ぐに延びる直線部分と、前記ハンドル１０の前記後端部１０ｃの中において、前記連動機構２４の前記チョーク作動用アーム部材３２に向かって下方に延びる曲がり部分と、を有し、全体的にＬ字形をなしている。本実施形態においては、細い棒状部材の前記チョーク作動用伝動部材３６が、前記形状に折り曲げ成形されている。
【００１９】
前記回転体１４には、折り曲げられた前記基端部３６ｂを受け入れる逃げ孔３８が形成されている。前記回転体１４の前記つまみ部１４ａがクリックストップ手段１３を乗り越えて前記第一回転位置Ｐ１から前記第二回転位置Ｐ２まで回転する間は、前記チョーク作動用伝動部材３６の前記基端部３６ｂが前記逃げ孔３８の中で相対移動することによって、前記チョーク作動用伝動部材３６は、前記本体部分４に対して実質的には前記長手方向Ｘに移動しないようになっている。より具体的には、前記逃げ孔は長孔３８である。前記回転体１４は、図２に示す側面図において、反時計方向に回転し、前記長孔３８は、前記回転体１４の半径方向内方かつ進み側に位置する進み側端部３８ａから、半径方向外方かつ遅れ側に位置する遅れ側端部３８ｂまで、前記回転体１４の前記半径方向に対して斜めに延びている。すなわち、前記長孔３８は、図２に示す、前記回転体１４の側面図において、円形の前記回転体１４の下方かつ前記反時計方向の回転方向の遅れ側の四半部に位置しており、前記長孔３８は、前記回転体１４の回転中心Ｏの斜め下方に位置する前記進み側端部３８ａから、棒状の前記チョーク作動用伝動部材３６の前記長手方向Ｘに前記回転方向遅れ側に向かって、前記遅れ側端部３８ｂまで延びている。前記長孔３８は、下方に向けて凹状に僅かな湾曲をなしている。
【００２０】
前記回転体１４は全体的には実質的に円形であり、前記遅れ側端部３８ｂは、円形の前記回転体１４の円周部から半径方向外方に突出して位置している。すなわち、前記回転体１４には、半径方向外方に突出する突起５０が設けられており、前記長孔３８はその突起５０まで延びている。また、棒状の前記チョーク作動用伝動部材３６の前記基端部３６ｂは直角に折り曲げられている。その曲げられた部分が前記長孔３８の中に挿入されている。前記長孔３８の前記遅れ側端部３８ｂには、前記回転体１４の前記進み側に、前記曲げられた部分を受け入れる切欠き３８ｃが形成されている。
【００２１】
前記長孔３８の近傍には、前記回転体１４が前記第一回転位置Ｐ１から前記第二回転位置Ｐ２まで移動する間、前記基端部３６ｂを前記長孔３８の中で前記進み側端部３８ａから前記遅れ側端部３８ｂまで案内し、かつ、前記回転体１４が前記第二回転位置Ｐ２から前記第三回転位置Ｐ３まで移動する間、前記チョーク作動用伝動部材３６の前記基端部３６ｂを前記長孔３８の前記遅れ側端部３８ｂと一定の位置に保持するための案内部４０が設けられている。該案内部４０は、円形の前記回転体１４の前記回転中心Ｏから半径方向に前記円周部まで真っ直ぐに延びる平面部分４０ａと、該平面部分４０ａの半径方向外端から前記回転中心Ｏを中心として、前記円周部より内側に第二半径寸法ｒ２の円弧を描いて前記回転体１４の進み側に延びる円弧面部分４０ｂと、を有し、実質的にレの字形の面をなしている。より詳細には、前記遅れ側端部３８ｂは、前記回転体１４の前記回転中心Ｏから第一半径寸法ｒ１だけ離間して位置しており、前記案内部４０は、前記回転体１４の半径方向に前記第一半径寸法ｒ１から前記チョーク作動用伝動部材３６の前記折り曲げ基端部３６ｂの外形寸法（直径）を差し引いた第二半径寸法ｒ２の位置まで真っ直ぐに延びる前記平面部分４０ａと、該平面部分４０ａの半径方向外端から、前記回転体１４の前記回転中心Ｏから前記第二半径寸法ｒ２の円弧を描いて前記回転体１４の進み側に延びる前記円弧面部分４０ｂと、を有する。
【００２２】
前記案内部４０は、前記ハンドル１０の前記前端部１０ｂの前記ハウジング４の内面から突出して形成されている。前記チョーク作動用伝動部材３６の前記基端部３６ｂは、前記長孔３８の中において、前記平面部分４０ａに対して前記第二回転位置Ｐ２では前記遅れ側に位置しており、前記第二回転位置Ｐ２から前記第三回転位置Ｐ３まで、前記平面部分４０ａと前記円弧面部分４０ｂに沿って移動する。
【００２３】
次に、前記連動機構２４について説明する。前記連動装置２４は従来の気化器のオートリターンチョーク装置と同様な構造を有するので、簡単に説明する。図５を見て分かるように、前記チョーク作動用アーム部材３２と後述するスロットル解除用アーム部材４４とは、互いに隣接して設けられており、前記連動機構２４は、前記チョーク回転軸３０の外端に設けられた前記チョーク作動用アーム部材３２と一体的に回転する回転部材４２の先端に形成された係合爪部４２ａと、前記スロットル解除用アーム部材４４の先端部に形成された係合爪部４４ａと、で構成されている。前記チョーク回転軸３０および前記スロットル回転軸３４の回転に応じて、これらの係合爪部４２ａ、４４ａが互いに係脱されて、前記連動機構２４が作動する。
【００２４】
次に、前記チョーク開閉機構１８と前記スロットル開閉機構２２とを連動させる前記連動機構２４を解除するための前記解除機構２８について説明する。該解除機構２８も、従来のトリガー式スロットル制御装置と同じであるので簡単に説明すると、前記グリップ部１０ａの前端部の下面側に設けられ、かつ、前記本体部分６に対して揺動可能に設けられた扇形のトリガー部材４６と、前記スロットル回転軸３４に設けられた前記スロットル解除用アーム部材４４と、折り曲げられた基端部４８ｂが前記トリガー部材４６に取付られ、折り曲げられた先端部４８ａが前記スロットル解除用アーム部材４４に取付けられた棒状のスロットル解除用伝動部材４８と、を有する。該スロットル解除用伝動部材４８は、前記トリガー部材４６から前記スロットル解除用アーム部材４４まで延びる一本の細い丸棒状線部材であり、逆Ｕ字形の前記ハンドル１０の内部空間の形状に沿う形状をなしており、前記ハンドル１０の前記グリップ部１０ａに沿って真っ直ぐに延びる直線部分と、前記ハンドル１０の前記後端部１０ｃの内部において、前記連動機構２４の前記スロットル解除用アーム部材４４に向かって下方に延びる曲がり部分と、で構成されており、全体的にＬ字形をなしている。
【００２５】
前記グリップ部１０ａの前端部の上面には、安全保持レバー５１が設けられている。該安全保持レバー５１は、前記トリガー部４６を意に反して引いて、前記連動装置２４を解除してしまうのを防止するためのものである。前記グリップ部１０ａを右手でしっかり握って前記安全保持レバー５１を押し込んだ状態にしないと、前記トリガー部材４６を引くことはできない。前記チョーク作動用伝動部材３６と前記スロットル解除用伝動部材４８は、前記ハンドル１０の内部空間内で、互いに干渉することなく並設されている。
【００２６】
既に説明したように、図２に示すように、前記長孔３８の前記遅れ側端部３８ｂは、実質的に円形の前記回転体１４の周縁部から半径方向外方に突出した前記突起５０に形成されている。該突起５０の近傍には、可動スイッチ端子５２が設けられている。該可動スイッチ端子５２は、前記突起５０によって押された押し位置（図２参照）において、前記ハンドル１０の前記前端部１０ｂの内面に突設された固定スイッチ端子５３に押し当てられるので、点火部の放電動作が無効とされ、また、前記突起５０が偏位した解放位置（図３および図４参照）において、前記点火部の放電動作が有効とされ、前記内燃機関Ｅの始動操作が可能となる。
【００２７】
以下、図２乃至図５を参照しつつ、本実施形態にかかる前記チェーンソー２の前記チョーク開閉機構１８、前記スロットル開閉機構２２、前記連動機構２４、前記チョーク作動機構２６、および前記解除機構２８の作動について説明する。まず、図２に示すように、初期位置において、前記操作部１２は前記停止位置にあり、前記回転体１４は前記第一回転位置Ｐ１に位置している。この状態において、前記チョーク作動用伝動部材３６の前記基端部３６ｂは、前記長孔３８の前記進み側端部３８ａに位置している。また、図５（ａ）に示すように、前記チョーク開閉機構１８の前記チョークバルブ１６は開放しており、また、前記スロットル開閉機構２２の前記スロットルバルブ２０はアイドリング回転開度位置にあり、また、前記連動機構２４は解除されている。更に、前記可動スイッチ端子５２は、前記回転体１４の前記突起５０によって押されて前記固定スイッチ端子５３に接触しており、前記点火部の放電動作が無効とされている。
【００２８】
引き続き、図３に示すように、前記操作部１２を前記始動位置まで移動させると、前記回転体１４は前記第一回転位置Ｐ１から前記クリックストップ手段１３を乗り越えて前記第二回転位置Ｐ２まで反時計方向に回転する。前記回転体１４が前記第一回転位置Ｐ１から前記第二回転位置Ｐ２まで移動する間、前記長孔３８は前記案内部４０の前記平面部分４０ａが横切った状態で、前記案内部４０に向って前記進み側に相対的に移動する。前記チョーク作動用伝動部材３６の前記基端部３６ｂは、前記案内部４０によって案内されて、前記長孔３８の中で遅れ側に向かって前記遅れ側端部３８ｂまで移動する。前記回転体１４が前記第一回転位置Ｐ１から前記第二回転位置Ｐ２まで回転する間は、前記基端部３６ｂが前記逃げ孔（長孔）３８の中で移動して、前記回転体１４に対して半径方向に移動し、前記チョーク作動用伝動部材３６が前記先端部３６ａを中心として若干の揺動運動のみを行う。すなわち、このとき、前記先端部３６ａは実質的に前記長手方向Ｘには移動しないから、前記チョーク開閉機構１８は作動されず、図５（ａ）に示す開放状態のままであり、通常は前記内燃機関Ｅの始動が可能となる。
【００２９】
引き続き、図４に示すように、周囲温度がごく低いときに、前記操作部１２を前記チョーク作動位置まで移動させると、前記回転体１４は前記第二回転位置Ｐ２から前記第三回転位置Ｐ３まで反時計方向に回転する。前記回転体１４が前記第二回転位置Ｐ２から前記第三回転位置Ｐ３まで移動する間、前記チョーク作動用伝動部材３６の前記基端部３６ｂは、前記案内部４０の前記円弧面部分４０ｂの半径方向外側に位置する前記遅れ側端部３８ｂに維持されながら、前記長孔３８内で位置を保持されつつ前記案内部４０の前記円弧面部４０ｂに沿って移動する。これによって、前記チョーク作動用アーム部材３２に前記回転体１４の運動が伝達され、図５（ａ）に示すように、前記チョーク作動用アーム部材３２が押されて、前記チョーク回転軸３０が回転され、それに伴って前記チョークバルブ１６が閉じられる。その際、図５（ｂ）に示すように、前記回転部材４２の先端に設けられた前記係合爪部４２ａと、前記スロットル解除用アーム部材４４の先端に設けられた前記係合爪部４４ａとが、前記チョーク回転軸３０の回転によって互いに係合し、前記チョーク回転軸３０の回転によって、前記スロットル回転軸３４が回転され、前記スロットルバルブ２０が半開（アイドルアップ開度）にされ、この状態に保持される。引き続き、前記本体部分６に設けられたリコイルスタータ（図示せず）によって、前記内燃機関Ｅを始動させる。
【００３０】
作業者は、初爆音を聞いたら、前記操作部１２を前記チョーク位置（Ｐ３）から前記始動位置（Ｐ２）に戻す。これによって、前記チョーク作動用アーム部材３２は、図５（ｃ）に示すように、前記チョーク作動用伝動部材３６によって前方に引張られて揺動し、前記チョークバルブ１６が開かれる。なお、この状態において、前記スロットルバルブ２０は前記半開のままである。
【００３１】
引き続き、前記安全保持レバー５１を押しながら、前記トリガー部材４６を引くと、該トリガー部材４６の揺動によって、前記スロットル解除用伝動部材４８が長手方向Ｘ前方に移動する。これに伴って、前記スロットル解除用アーム部材４４が前方に引張られて揺動し、前記連動機構２４の二つの前記係合爪部４２ａ、４４ａの係合が互いに解除され、前記スロットルバルブ２０が前記アイドリング回転開度位置まで戻る。
本実施形態によれば、一つの前記操作部１２によって、停止、始動、および、チョーク操作を行うことができる上、前記ハンドル１０の前記前端部１０ｂから前記後端部１０ｃまで延びる一本の棒状部材で構成された前記チョーク作動用伝動部材３６によってチョークの操作を行うことができるので、機構が簡略化され、部品点数が少なく、組立てが容易で、安価なチェーンソー２を提供することができる。
【００３２】
また、本実施形態によれば、前記案内部４０によって前記チョーク作動用伝動部材３６が前記長孔３８内で確実に案内されるので、前記チョーク開閉機構１８の作動が確保される。
更に、本実施の形態においては、前記チョーク作動用伝動部材３６は前記スロットル解除用伝動部材４８に並設された棒状部材で構成されており、前記スロットル解除機構２８と干渉しない。したがって、従来のスロットル制御機構の設計変更を行う必要がない。
【００３３】
本発明は、以上の実施の形態に限定されることなく、特許請求の範囲に記載された発明の範囲内で種々の変更が可能であり、それらも本発明の範囲内に包含されるものであることはいうまでもない。
【００３４】
例えば、本実施形態においては、前記操作部１２を、前後に延びる前記グリップ部１０ａの長手方向Ｘに対して、後方に位置する前記停止位置Ｐ１から前方に位置する前記チョーク位置Ｐ３まで移動させ、前記回転体１４が図２において反時計方向に回転するようになっているが、それとは逆に、前記操作部１２を、前方に位置する停止位置から後方に位置するチョーク位置まで移動させるようにしてもよい。この場合においても、前記逃げ孔または前記長孔３８は、前記回転体１４が前記第一回転位置Ｐ１から前記第二回転位置Ｐ２まで回転する間においては、前記基端部３６ｂが前記逃げ孔３８の中で相対移動することによって、前記チョーク作動用伝動部材３６は前記長手方向Ｘに移動せず、また、前記回転体１４が前記第二回転位置Ｐ２から前記第三回転位置Ｐ３まで回転する間においては、前記基端部３６ｂは前記逃げ孔３８の中での移動が規制され、前記回転体１４の運動によって前記チョーク作動用伝動部材３６が前記長手方向Ｘに押されて、前記アーム部材３２に前記回転体１４の運動が伝達されるように形成すればよい。また、前記逃げ孔３８がこのように構成されていれば、該逃げ孔３８は前記回転体１４のどの位置に位置していてもよい。
【００３５】
【発明の効果】
本発明によれば、一つの操作部によって、内燃機関の停止、始動およびチョーク操作の切替を行うことができる作業機であって、操作の動作を伝達する機構が簡略な作動機を提供することができる。
【図面の簡単な説明】
【図１】本実施形態に係るチェーンソーの外観右側面図である。なお、ソーチェーンバー部分は、二点鎖線で示している。
【図２】チェーンソーのハンドル部分の内部機構の拡大左側面図であり、操作部が停止位置にある状態を示す。
【図３】チェーンソーのハンドル部分の内部機構の拡大左側面図であり、操作部が始動位置にある状態を示す。
【図４】チェーンソーのハンドル部分の内部機構の拡大左側面図であり、操作部がチョーク作動位置にある状態を示す。
【図５】チョーク開閉機構、スロットル開閉機構およびこれらの連動機構の動作を示す。
【符号の説明】
２   作業機（チェーンソー）
１０   ハンドル
１０ｂ 前端部
１０ｃ 後端部
１２   操作部
１４   回転体
１６  チョークバルブ
１８   チョーク開閉機構
２０   スロットルバルブ
２２   スロットル開閉機構
２４   連動機構
２８   解除機構
３０   チョーク回転軸
３２   アーム部（チョーク作動用アーム部材）
３６   チョーク作動用伝動部材
３６ａ 先端部
３６ｂ 基端部
３８   逃げ孔（長孔）
３８ａ 進み側端部
３８ｂ 遅れ側端部
４０   案内部
４０ａ 平面部分
４０ｂ 円弧面部分
４６   解除レバー（スロットルトリガー）
４８   スロットル解除用伝動部材
４８ａ 先端部
４８ｂ 基端部
Ｐ１   第一回転位置
Ｐ２   第二回転位置
Ｐ３   第三回転位置
ｒ１   第一半径寸法
ｒ２   第二半径寸法
Ｅ     内燃機関
Ｘ     長手方向
Ｏ     回転中心
【図１】
0003713455.tif 000002
【図２】
0003713455.tif 000003
【図３】
0003713455.tif 000004
【図４】
0003713455.tif 000005
【図５】
0003713455.tif 000006